(57)【特許請求の範囲】
【請求項１】
一定長の略逆チャネル型の装着具本体を設け、この装着具本体の突出した両側壁の端縁が形成する開口部を略塞ぐように、これらの端縁に蝶番によって装着具本体の内側にのみ回動自在で通常はバネにより相対向するように略水平に付勢された二枚の扉を設け、上記装着具本体の両側壁に挟まれた平面に、下方に付勢したスプリングによって収縮自在に平板を支持し、
線条体を敷設する壁面に、予め上記装着具をその略平坦な背面を背にして一定間隔で固着して複数設け、線条体における装着部位によって上記装着具の二枚の扉をバネの力に抗して押圧して装着具本体内に嵌め込み、さらに当該線条体の装着部位による押圧を続けて上記平板をスプリングの付勢に抗して押圧して収縮させて上記二枚の扉から当該線条体を離してこれらの扉を付勢する方向に回動させて略水平の位置に戻して上記開口部を略塞ぎ、同時にスプリングにより下方に付勢された上記平板によって当該線条体の装着部位を上方より押圧し、この平板と二枚の扉により装着部位を挟んで装着具内に線条体を装着することを特徴とした、壁面における線条体の装着具。
【請求項２】
一定長の略逆チャネル型の装着具本体を設け、この装着具本体の突出した両側壁の端縁が形成する開口部を略塞ぐように、これらの端縁に蝶番によって装着具本体の内側にのみ回動自在で通常はバネにより相対向するように略水平に付勢された二枚の扉を設け、上記装着具本体の両側壁に挟まれた平面に、下方に付勢したスプリングによって収縮自在に平板を支持し、
線条体を敷設する壁面に、予め上記装着具をその略平坦な背面を背にして一定間隔で固着して複数設け、線条体における装着部位によって上記装着具の二枚の扉をバネの力に抗して押圧して装着具本体内に嵌め込み、さらに当該線条体の装着部位による押圧を続けて上記平板をスプリングの付勢に抗して押圧して収縮させて上記二枚の扉から当該線条体を離してこれらの扉を付勢する方向に回動させて略水平の位置に戻して上記開口部を略塞ぎ、同時にスプリングにより下方に付勢された上記平板によって当該線条体の装着部位を上方より押圧し、この平板と二枚の扉により装着部位を挟んで装着具内に線条体を装着した装着具と、
一定長の略チャネル型で、上記装着具本体の開口部に嵌め入れ可能な撤去具を別途設け、当該撤去具の突出した両側壁の端縁が形成する開口部内に上記装着具本体内に取り込んだ線状体の装着部位を取り込み可能とし、
当該撤去具の両側の突出した端縁により上記線条体を装着した装着具の二枚の扉をバネの力に抗して押圧して、当該撤去具を装着具本体内に嵌め入れ、さらに押圧を続け当該撤去具の内部に上記線条体の装着部位を取り込み、この状態で撤去具を装着具から離して線条体を装着具から撤去することを特徴とした、壁面における線条体の装着具及び撤去具。
【発明の詳細な説明】
【０００１】
【発明の属する技術分野】
この発明は、下水道などの管路の壁面に各種ケーブルや管類等の線条体を簡単に着脱できる、壁面における線条体の装着具及び撤去具を提供するものである。
【０００２】
【従来の技術】
現在、日本全土に情報通信ネットワークを設立する構想のもとに、全国に埋設された下水道の管路内の上部又は側部（側部の場合でも下水の流れるおそれのない上部）に光ファイバーケーブル（以下「光ケーブル」という）を敷設する計画が進められている。
【０００３】
この様な工事の工法、特に人間が入り込むことが出来ない小径の管路内への光ケーブルを敷設する装置及び方法としては、▲１▼下水道管内引込みガイド管の内側に通したワイヤー等のテンション材の張力を利用して、当該引込みガイド管内に光ケーブルを収納した当該光ケーブル収納用小口径管（以下「収納管」という）を挿通して敷設する工法、▲２▼管路の長手方向に一定間隔で取り付けた金属バンドの反発力により収納管を固定する工法、▲３▼管路の長手方向に一定間隔で管路内の全周又は部分的に取り付けた、固着硬化性を有する樹脂バンドにより収納管を押圧固着させる工法、▲４▼管路内において、管路の長手方向に一定間隔で収納管の固定具をビス等で固定する工法などがある。
【０００４】
【発明が解決しようとする課題】
しかしながら、これらの装置及び工法では、収納管が強固に固定されており、不必要又は使用不能になった収納管の撤去、さらに追加して収納管を増設固定することが困難であった。また上記の方法では、施工費用が高くなる原因ともなっていた。
【０００５】
そこでこの発明は、これらの点に鑑み、光ケーブルなどのケーブルや管類等の線条体の取り付け及び撤去が容易かつ安価にできる、下水道管路等の壁面における線条体の装着具及び撤去具を提供するものである。
【０００６】
【課題を解決するための手段】
請求項１の発明は、一定長の略逆チャネル型の装着具本体を設け、この装着具本体の突出した両側壁の端縁が形成する開口部を略塞ぐように、これらの端縁に蝶番によって装着具本体の内側にのみ回動自在で通常はバネにより相対向するように略水平に付勢された二枚の扉を設け、上記装着具本体の両側壁に挟まれた平面に、下方に付勢したスプリングによって収縮自在に平板を支持し、線条体を敷設する壁面に、予め上記装着具をその略平坦な背面を背にして一定間隔で固着して複数設け、線条体における装着部位によって上記装着具の二枚の扉をバネの力に抗して押圧して装着具本体内に嵌め込み、さらに当該線条体の装着部位による押圧を続けて上記平板をスプリングの付勢に抗して押圧して収縮させて上記二枚の扉から当該線条体を離してこれらの扉を付勢する方向に回動させて略水平の位置に戻して上記開口部を略塞ぎ、同時にスプリングにより下方に付勢された上記平板によって当該線条体の装着部位を上方より押圧し、この平板と二枚の扉により装着部位を挟んで装着具内に線条体を装着する壁面における線条体の装着具とした。
【０００７】
請求項２の発明は、一定長の略逆チャネル型の装着具本体を設け、この装着具本体の突出した両側壁の端縁が形成する開口部を略塞ぐように、これらの端縁に蝶番によって装着具本体の内側にのみ回動自在で通常はバネにより相対向するように略水平に付勢された二枚の扉を設け、上記装着具本体の両側壁に挟まれた平面に、下方に付勢したスプリングによって収縮自在に平板を支持し、線条体を敷設する壁面に、予め上記装着具をその略平坦な背面を背にして一定間隔で固着して複数設け、線条体における装着部位によって上記装着具の二枚の扉をバネの力に抗して押圧して装着具本体内に嵌め込み、さらに当該線条体の装着部位による押圧を続けて上記平板をスプリングの付勢に抗して押圧して収縮させて上記二枚の扉から当該線条体を離してこれらの扉を付勢する方向に回動させて略水平の位置に戻して上記開口部を略塞ぎ、同時にスプリングにより下方に付勢された上記平板によって当該線条体の装着部位を上方より押圧し、この平板と二枚の扉により装着部位を挟んで装着具内に線条体を装着した装着具とした。
【０００８】
さらに加えて一定長の略チャネル型で、上記装着具本体の開口部に嵌め入れ可能な撤去具を別途設け、当該撤去具の突出した両側壁の端縁が形成する開口部内に上記装着具本体内に取り込んだ線状体の装着部位を取り込み可能とし、当該撤去具の両側の突出した端縁により上記線条体を装着した装着具の二枚の扉をバネの力に抗して押圧して、当該撤去具を装着具本体内に嵌め入れ、さらに押圧を続け当該撤去具の内部に上記線条体の装着部位を取り込み、この状態で撤去具を装着具から離して線条体を装着具から撤去する壁面における線条体の装着具及び撤去具とした。
【０００９】
【実施の形態】
以下、この発明の実施の形態例を図に基づいて説明する。
図３は、人間が入り込むことのできない小径の下水道における管路Ａであって、分岐管Ｂを上部の一部に接続しており、夫々の内壁に、この発明の装置により光ケーブルを収納する収納管２を、管路Ａ及び分岐管Ｂの長手方向に間隔をあけて取り付けた装着具１に支持して敷設した状態を示す。
【００１０】
まず下水道の管路Ａ内壁に固着する装着具１の構成を説明する。この装着具１は、図４及び図５に示すように、一定長の略逆チャネル型で、この装着具１本体の両側の突出した側壁１ａの端縁が形成する開口部をおおよそ塞ぐように、これらの端縁に蝶番１ｂによって装着具１本体の内側にのみ回動自在で、通常はバネによって相対向するように水平に付勢された二枚の扉１ｃを設けているが、二枚の扉１ｃが閉じられた状態のとき、支持した収納管２が落下しない程度に扉１ｃと扉１ｃの間に一定長の隙間１ｄが開くように設けている。またこの装着具１の両側壁１ａに挟まれた平面に、下方に付勢された４つのスプリング１ｅによって収縮自在に平板１ｆを支持している。さらに装着具１の背面１ｇは、固着する管路Ａ内壁面の形状に合わせて湾曲させて設けている（図示省略）。
【００１１】
次にこの装着具１を使用して収納管２を下水道管路Ａ内に敷設する様子を説明する。まず下水道の管路Ａ内壁における収納管２を敷設する箇所の天井部や側部に、一定間隔で装着具１をその背面を背にして、接着剤、ビス、又は磁石などにより固着する。この固着に際しては、管路Ａ内を移動自在な作業用ロボット（図示省略）により行う。
【００１２】
収納管２は、装着具１の固着が終わった後では、管路Ａ内に挿通されて管路Ａ内の底部にある。この収納管２を管路Ａの内壁天井部に固着された装着具１に装着する。収納管２の装着も作業用ロボットにより行う。作業用ロボットの細腕の作業ハンド（図示省略）によって、図６及び図７に示すように収納管２における装着部位２ａを近づけ、さらに上記装着具１の二枚の扉１ｃをバネの力に抗して押圧して装着具１本体内に装着部位２ａを嵌め込む、さらにこの装着部位２ａを押し込んで、図８及び図９に示すように上記平板１ｆを４つのスプリング１ｅの付勢に抗して押圧して収縮させて、装着部位２ａに接触していた二枚の扉１ｃを離して、これらの扉１ｃを自由にし、蝶番１ｂのバネが付勢する方向に回動させて開口部をおおよそ塞ぐ水平の定位置に戻す。
【００１３】
この後作業ハンドは、装着部位２ａの押圧を中止して当該装着部位２ａを離し、２枚の扉１ｃの隙間１ｄから装着具１の外に出す。この時装着具１の開口部は２枚の扉１ｃによりほぼ塞がれているので、収納管２の装着部位２ａは装着具１の外に出ることはなく、また同時にスプリング１ｅにより下方に付勢された平板１ｆによって装着部位２ａを上方より押圧し、この平板１ｆと二枚の扉１ｃにより装着部位２ａは挟まれて、図１及び図２に示すように、安定して装着具１内に支持される。この様にして、順次収納管２を装着して行く。
【００１４】
続いて、装着した収納管２を今度は撤去する様子を説明する。まず撤去具３を説明する。この撤去具３は、図１０に示すように一定長の略チャネル型で、装着具１本体の開口部に嵌め入れ可能に設けている。当該撤去具３の両側の突出した側壁３ａの端縁が形成する開口部内に、上記装着具１本体内に取り込んだ収納管２を取り込み可能に設けている。
【００１５】
そして、図１１及び図１２に示すようにこの撤去具３を両側の突出した側壁３ａの端縁により、上記装着部位２ａを装着した装着具１の二枚の扉１ｃをバネの力に抗して押圧して、当該撤去具３を装着具１本体内に嵌め入れ、さらに押圧を続け平板１ｆをスプリング１ｅの付勢に抗して収縮させて当該撤去具３の開口部内に上記収納管２の装着部位２ａを取り込み、図１３に示すようにこの状態で撤去具３を装着具１から離して収納管２を装着具１から撤去する。この様にして、順次収納管２は装着具から撤去される。この収納管２の撤去に際しても、管路Ａ内を移動自在な作業用ロボット（図示省略）により行う。
【００１６】
なお上記の実施の形態例では、作業用ロボットにより各作業を行っているが、これらの作業用ロボットは、この発明の必須要件ではない。また管路Ａ内壁の天井部に固着した装着具１に収納管２を装着する場合を説明しているが、管路Ａ内壁の側部に固着した装着具１に収納管２を装着する場合も同様にして行われる。この場合も、装着された収納管２の装着部位２ａは、平板１ｆと扉１ｃにより挟まれて安定して装着される。さらに装着具１の背面１ｇを管路Ａ内壁面の形状に合わせて湾曲させて設けているが、これはこの発明の必須要件ではない。
【００１７】
また装着具１本体の両側壁１ａの端縁に設けた二枚の扉１ｃを閉じた際、一定長の隙間１ｄを有するように設けているが、この隙間１ｄを設けることは、この発明の必須要件ではなく、両方の扉を閉じた際、装着具１の開口部を完全に塞ぐものでも良い。この場合装着部位２ａの押圧は、当該収納管２の装着部位２ａの、当該収納管２の長手方向における両側部を持って行う。
【００１８】
【発明の効果】
請求項１及び請求項２の各発明によれば、略逆チャネル型で蝶番のバネに付勢された扉とスプリングに付勢された平板によって、装着具内に線条体を装着しているので、線条体の装着が確実にでき、使用する部材なども高価ではなく、線条体の敷設作業が安価にできる。加えて請求項２の発明によれば、これらの蝶番等のバネの力に抗して、略チャネル型の撤去具を嵌め込めば、簡単かつ確実に線条体の撤去ができ、また線条体の撤去作業が安価にできる。
【図面の簡単な説明】
【図１】この発明の実施の形態例における装着具に収納管を装着した状態を示す斜視図である。
【図２】この発明の実施の形態例における装着具に収納管を装着した状態を示す側面図である。
【図３】この発明の実施の形態例の装着具を使用して収納管を下水道管路に敷設した状態を示す説明図である。
【図４】この発明の実施の形態例における装着具の斜視図である。
【図５】この発明の実施の形態例における装着具の側面図である。
【図６】この発明の実施の形態例の装着具に収納管を近づけて装着しつつある状態を示す説明図である。
【図７】この発明の実施の形態例の装着具に収納管を近づけて装着しつつある状態を示す側面図である。
【図８】この発明の実施の形態例の装着具内奥部に収納管を嵌め込んだ状態を示す説明図である。
【図９】この発明の実施の形態例の装着具内奥部に収納管を嵌め込んだ状態を示す側面図である。
【図１０】この発明の実施の形態例における撤去具の斜視図である。
【図１１】この発明の実施の形態例において収納管を装着した装着具に、この収納管を撤去するために撤去具を近づけた状態の側面図である。
【図１２】この発明の実施の形態例において収納管を装着した装着具に、この収納管を撤去するために撤去具を嵌め込みつつある状態を示す側面図である。
【図１３】この発明の実施の形態例において収納管を装着した装着具から収納管を撤去具の内部に取り込み、さらに装着具から撤去具を離した状態を示す側面図である。
【符号の説明】
１    装着具                      １ａ  装着具本体の突出した両側壁
１ｂ  蝶番                        １ｃ  扉
１ｅ  スプリング                  １ｆ  平板
１ｇ  装着具の背面                ２    収納管
２ａ  収納管の装着部位            ３    撤去具
３ａ  撤去具の突出した両側壁
【図１】
0003579021.tif 000002
【図２】
0003579021.tif 000003
【図３】
0003579021.tif 000004
【図４】
0003579021.tif 000005
【図５】
0003579021.tif 000006
【図６】
0003579021.tif 000007
【図７】
0003579021.tif 000008
【図８】
0003579021.tif 000009
【図９】
0003579021.tif 000010
【図１０】
0003579021.tif 000011
【図１１】
0003579021.tif 000012
【図１２】
0003579021.tif 000013
【図１３】
0003579021.tif 000014